(57)【要約】【課題】  フリクションタイプのコネクタにおいて、安定した嵌合保持力を備えたフリクションロック機構とＥＭＩ特性を改善した小型の高速伝送インタフェース用の電気コネクタを提供することにある。【解決手段】  相手側コネクタに接続されるコネクタにおいて、コンタクト１５と、前記コンタクト１５を保持固定するハウジング１４と、これらを覆うシェル１１とを有する。シェル１１に設けられた凹部１ａは有底であり、ロック部２３ａと前記凹部１ａとが係止することにより、コネクタ同士の嵌合をロックし、かつ前記ロック部２３ａが前記凹部１ａの底２ａと接触することにより、前記ロック部２３ａと前記シェル１１とが電気的に接続される。【選択図】      図１
2007103249.tif 000002
【特許請求の範囲】
【請求項１】
ロック部を備えたバネ片が形成された相手側コネクタに接続され、前記ロック部と係合する凹部をシェルに備えた電気コネクタにおいて、前記電気コネクタは、コンタクトと、前記コンタクトを保持固定するハウジングと、これらを覆うシェルとを有し、前記凹部は有底であり、前記ロック部と前記凹部とが係止することにより、コネクタ同士の嵌合をロックし、かつ前記ロック部が前記凹部の底と接触することにより、前記ロック部と前記シェルとが電気的に接続されることを特徴とする電気コネクタ。
【請求項２】
請求項１に記載の電気コネクタにおいて、前記シェルの凹部は、切り欠き又はプレスによる窪みから形成されていることを特徴とする電気コネクタ。
【請求項３】
請求項１又は２に記載の電気コネクタにおいて、前記凹部に対応する前記ハウジングの部位に凹部が形成され、前記シェルの凹部の底を収容していることを特徴とする電気コネクタ。
【発明の詳細な説明】
【技術分野】
【０００１】
本発明は、電気コネクタに関し、詳しくは、相手側コネクタに、シェル同士によってロックされるロック機能を備えた高速伝送用インターフェースコネクタに関する。
【背景技術】
【０００２】
従来、高速伝送用インターフェースコネクタとしては、図１５及び図１６に示すものがある。
【０００３】
図１５に示される高速インターフェースコネクタは、ケーブル側コネクタ５０ａと図示しない相手側コネクタとして、例えば、基板側コネクタに嵌合され機械的なロック機構を備えている。ケーブル側コネクタ５０ａは、ハウジング１４と、ハウジング１４に支持された複数のコンタクト１５と、コンタクト１５の周囲に設けられ箱型の金属片からなるシェル１１と、ケーブル側コネクタ５０ａの全体を覆う樹脂製のフード１２とを備えている。ケーブル１３は、ブーツ１２ａを通ってフード１２内でコネクタ内に連絡している。コネクタ５０ａ内では、ケーブル１３の端部の複数の導線は、コネクタ内のコンタクト１５の一端に接続されている。また、ケーブル１３のシールド線は、シェルに接続されている。この従来のケーブル側コネクタ５０ａは、機械的なロック操作部５３と、これと連動するように、シェル１１の上面の両側にロック片５２，５２を備えている。
【０００４】
また、図１６に示される高速インターフェースコネクタも機械的なロック機構を備えており、ケーブル側コネクタ５０ｂはフードのケーブル側の両側に、機械的なロック操作部５５と、これと連動するように、シェル１１の両側にロック片５４，５４を備えている。
【０００５】
一方、従来技術において、機械的なロック操作部を持たない高速伝送用インターフェースコネクタで、フリクションロックタイプと呼ばれる電気コネクタがある。
【０００６】
図１７は従来技術によるフリクションロックタイプのケーブル側コネクタを底面側から眺めた斜視図、図１８は、図１７のコネクタの底面図、図１９は図１７のコネクタと相手側コネクタである基板側コネクタとの嵌合状態を示す部分断面図である。
【０００７】
図１７乃至図１９を参照すると、ケーブル側コネクタ５０は、ハウジング１４と、ハウジング１４に支持された複数のコンタクト１５と、コンタクト１５の周囲に設けられ箱型の金属片からなるシェル１１と、コネクタ５０の全体を覆う樹脂製のフード１２とを備えている。ケーブル１３の複数の導線は、コネクタ内のコンタクト１５の一端に接続され、シールド線は、シェル１１に接続されている。
【０００８】
図１９に示すように、基板側コネクタ２０は、箱型のシェル２１と、ハウジング２２と、ハウジングに保持された複数のコンタクト２４とを備えている。シェル２１の上面中央と、下面の中央に離れて一対の板バネ２３が夫々形成されている。
【０００９】
コネクタは、一枚板の折り曲げによって形成され、下面中央に接合部を備えたシェル１１の下面に切り欠きによって形成されたフリクションロック穴５１ａ，５１ａを有する。
【００１０】
図１９に示すように、このフリクションロック穴５１ａは、嵌合の際には、バネ片２３の山形に折り曲げられた山と嵌合してロックをなすものである。
【００１１】
このように、従来技術によるフリクションロックタイプのコネクタでは、一方のコネクタのシェルに穴を開け、もう一方のコネクタのシェルに前記穴に対応するバネ片を設け、嵌合保持のためのフリクションロック機構としている。なお、符号２５は、基板に実装するための脚部（アース端子部）である。
【００１２】
しかしながら、このようなフリクションロックタイプのコネクタにおいて、コネクタのシェル同士の接触ができないために、ＥＭＩ特性に関して問題があった。
【００１３】
この問題を解決するために、図２０乃至図２２に示すコネクタが提案されている（特許文献１、参照）。
【００１４】
図２０乃至図２２を参照すると、ケーブル側コネクタ６０は、図１７乃至１９の例で示すものと同様に、ハウジング１４に支持された複数のコンタクト１５と、コンタクト１５の周囲に設けられ箱型の金属片からなるシェル１１と、コネクタ６０の全体を覆う樹脂製のフード１２とを備えている。シェル１１は、一枚板の折り曲げによって形成され、下面中央に接合部を備えたシェル１１の下面に貫通した角型のフリクションロック穴５１ａ，５１ａを有する。
【００１５】
基板側コネクタ３０は、箱型のシェル２１と、ハウジング２２と、ハウジング２２に保持された複数のコンタクト２４とを備えている。なお、符号３１は、ハウジングをシールドするための後ハウジングシールドで、符号２５は基板実装のための脚部又はアース端子部である。シェル２１の上面及び下面の中央に離れて一対のバネ片２３が夫々形成されている。また、バネ片２３の中央部にも、ケーブル側シェル１１と接続されるバネ片２７が夫々設けられている。
【００１６】
嵌合の際には、フリクションロック穴５１ａ，５１ａは、バネ片２３の山形に折り曲げられた山と穴とが、嵌合する。その際に、もう一つのバネ片２７がケーブル側シェル１１に接続されるので、シェル同士が電気的な接続がなされ、ＥＭＩ特性を改善するためのシェル同士の接触を確保することができるものである。
【００１７】
このように、従来技術によるフリクションロックタイプのコネクタ６０においては、シェル同土の接触はない為、バネ片２３とは、別の箇所に接触用のバネ片２７を設ける等をしなければ、ＥＭＩ特性を改善できなかった。
【００１８】
特に小型のインターフェースコネクタの場合、バネ片を設けるスペースに制限がある為、フリクション用のバネ片とＥＭＩ特性改善用のバネ片の両方を設けるのが難しくなる。
【００１９】
【特許文献１】特開２００３−２２９２１２号公報
【発明の開示】
【発明が解決しようとする課題】
【００２０】
そこで、本発明の技術的課題は、フリクションタイプのコネクタにおいて、安定した嵌合保持力を備えたフリクションロック機構とＥＭＩ特性を改善した小型の高速伝送用インタフェースに用いられる電気コネクタを提供することにある。
【課題を解決するための手段】
【００２１】
本発明によれば、ロック部を備えたバネ片が形成された相手側コネクタに接続され、前記ロック部と係合する凹部をシェルに備えた電気コネクタにおいて、前記電気コネクタは、コンタクトと、前記コンタクトを保持固定するハウジングと、これらを覆うシェルとを有し、前記凹部は有底であり、前記ロック部と前記凹部とが係止することにより、コネクタ同士の嵌合をロックし、かつ前記ロック部が前記凹部の底と接触することにより、前記ロック部と前記シェルとが電気的に接続されることを特徴とする電気コネクタが得られる。
【００２２】
また、本発明によれば、前記電気コネクタにおいて、前記シェルの凹部は、切り欠き又はプレスによる窪みから形成されていることを特徴とする電気コネクタが得られる。
【００２３】
さらに、本発明によれば、前記いずれか１つの電気コネクタにおいて、前記凹部に対応する前記ハウジングの部位に凹部が形成され、前記シェルの凹部の底を収容していることを特徴とする電気コネクタが得られる。
【発明の効果】
【００２４】
本発明によれば、高速伝送用インタース用コネクタにおいて、安定した嵌合保持力をもたせるためのフリクションロックシェルによるロックとシェル同士の電気接続を安定させＥＭＩ性能を向上させることができる接触バネ片を兼用させることができる小型のコネクタを提供することができる。
【発明を実施するための最良の形態】
【００２５】
以下、本発明の実施の形態について図面を参照しながら説明する。
【００２６】
図１は、本発明のケーブル側コネクタを示す側面図である。図２は図１のケーブル側コネクタの正面図である。図３は図１によるプラグ側コネクタを斜め上方から眺めた斜視図である。図４は本発明の基板側コネクタを示す斜視図である。
【００２７】
図１乃至図４に示すように、この種の高速伝達用インターフェースコネクタは、ケーブル側コネクタ１０と、基板側コネクタ２０とを備え、嵌合の際に機械的動作ロック機構を持たないフリクションロックタイプのコネクタと呼ばれる。
【００２８】
図１乃至図３を参照すると、ケーブル側コネクタ１０は、ハウジング１４と、ハウジング１４に支持された複数のコンタクト１５と、コンタクト１５の周囲に設けられ箱型の金属片からなるシェル１１と、ケーブル側コネクタ１０の全体を覆う樹脂製のフード１２とを備えている。ケーブル１３は、フード１２内でコネクタ内に連絡している。コネクタ内では、複数の導線は、コネクタ内のコンタクト１５の一端に接続されている。また、ケーブル１３のシールド線は、シェルに接続されている。
【００２９】
図４に示すように、基板側コネクタ２０は、箱型のシェル２１と、ハウジング２２と、ハウジング２２に保持された図示しない複数のコンタクトとを備えている。シェル２１の上面中央と、下面の中央に離れて、ロック部としての一対のバネ片２３が夫々形成されている。また、上面のバネ片２３の両側にも、ケーブル側シェル１１を押さえるための一対のバネ片２６が形成されている。尚、符号２５は、基板に実装するための脚部もしくは、アース端子部である。
【００３０】
図５は本発明の第１の実施の形態によるプラグ側コネクタを斜め下方から眺めた見た斜視図である図６は図５のコネクタの底面図である。図７は図４のプラグ側コネクタの基板側コネクタとの嵌合状態を示す断面図である。図８は図７の部分拡大断面図である。
【００３１】
図３乃至図６を参照すると、第１の実施の形態によるケーブル側コネクタ１０ａは、一枚板の折り曲げによって形成され、下面中央に接合部を備えたシェル１１の上面及び下面に切り欠きによって形成された凹部であるフリクションロック溝１ａ，１ａを有する。
【００３２】
図７及び図８に示すように、このフリクションロック溝１ａ，１ａは、シェル板面よりも内方に窪んで形成された底片２ａを備えている。したがって、嵌合の際には、バネ片２３の山形に折り曲げられた頂上部２３ａと溝１ａとが、嵌合し、その際にバネ片の山の頂上部２３ａが底片２ａに接触するので、ケーブル側シェル１１と、基板側コネクタのシェル２１とが電気的に接続される。また、フリクションロック溝１ａ，１ａは切欠き等によってエッジ１ａ´が形成されるので、このバネ片２３の嵌合によって、コネクタ嵌合の保持力を増大させることができ、矢印６で示される引抜きの際には、先端側の溝１ａのエッジ１ａ´と係合するので、不用意な力が加わっても離脱しない。また、シェル同士は、電気的な接続がなされるので、ＥＭＩ特性を改善するためのシェル同士の接触を十分に確保することができるものである。
【００３３】
また、ひとつのバネ片２３と溝１ａとによる係合で上記２つの機能を満足させることができる為、コネクタのスペースを有効活用できるとともに、コネクタが小型になった場合にも性能を落とさないことが可能になる。
【００３４】
さらに、ＥＭＩ対策にはコネクタを極力金属で覆うことが有効であり、本発明の第１の実施の形態による構造では、ロックの為に金属シェル１１に底片２ａによって閉ざされていて、穴を開けることがないのでより性能の良い構造となる。
【００３５】
図９は本発明の第２の実施の形態によるプラグ側コネクタを斜め下方から眺めた見た斜視図である図１０は図９のコネクタの底面図である。図１１は図９のプラグ側コネクタの基板側コネクタとの嵌合状態を示す断面図である。
【００３６】
図９乃至図１０を参照すると、第２の実施の形態によるコネクタは、一枚板の折り曲げによって形成され、下面中央両端に接合部を備えたシェル１１の下面に切り欠きによって形成されたフリクションロック溝１ｂ，１ｂを有する。
【００３７】
第２の実施の形態では、切り欠きを形成する位置が第１の実施の形態と９０°異なる位置に形成した構成が異なるほか、自由端が９０°異なる他は同様である。
【００３８】
図９，図１０及び図１１に示すように、このフリクションロック溝１ｂ，１ｂは、シェル板面よりも内方に窪んで形成された底板片２ｂを備えている。したがって、嵌合の際には、バネ片２３の山形に折り曲げられた山と溝１ｂとが、嵌合し、その際にバネ片２３の山の頂上部２３ａが底片２ｂに接触するので、ケーブル側の９シェル１１と、基板側コネクタのシェル２１とが電気的に接続される。。
【００３９】
図１２は本発明の第３の実施の形態によるケーブル側コネクタの基板側コネクタとの嵌合状態を示す断面図である。図１３は図１２の部分拡大断面図である。
【００４０】
図１２を参照すると、第３の実施の形態によるプラグ側コネクタは、フリクションロック溝１ｃ，１ｃの底片２ｃが両側方向にシェルと連結されるように形成されている他は、第１の実施の形態によるケーブル側コネクタと同様である。
【００４１】
図１３に示すように、このフリクションロック溝１ｃ，１ｃは、シェル板面よりも内方に窪んで形成され、幅方向両側に夫々切り欠かれた底板片２ｃを備えている。したがって、嵌合の際には、バネ片２３の山形に折り曲げられた頂上部２３ａと溝１ｃとが、嵌合し、その際にバネ片の山の頂上部２３ａが底板片２ｃに接触するので、ケーブル側シェル１１と、基板側コネクタのシェル２１とが電気的に接続される。
【００４２】
図１４は本発明の第４の実施の形態によるケーブル側コネクタの基板側コネクタとの嵌合状態を示す部分拡大断面図である。
【００４３】
図１４を参照すると、第４の実施の形態によるケーブル側コネクタは、フリクションロック溝１ｄ，１ｄの底板片２ｄがコネクタの離脱方向の先端が自由端となるように形成されている他は、第１乃至第２の実施の形態と同様である。
【００４４】
図１４に示すように、このフリクションロック溝１ｄ，１ｄは、シェル板面よりも内方に窪んで形成され、嵌合方向の後ろ側、即ち、離脱方向の先端側に夫々自由端を備えた底片２ｄを備えている。したがって、嵌合の際には、バネ片２３の山形に折り曲げられた山と溝とが、嵌合し、その際にバネ片の山の頂上部２３ａが底板片２ｄに接触するので、プラグ側シェルと、基板側コネクタのシェルとが電気的に接続される。また、第３の実施の形態と同様に、引き抜きの際には、緩やかな力で離脱させることができる。
【００４５】
尚、本発明の実施の形態においては、ケーブル側コネクタのシェル１１に溝１ａ，１ｂ，１ｃ，１ｄを基板側コネクタシェル２１にバネ片２３を夫々設けたが、接続形態にはとらわれず、基板対基板接続、ケーブル中継接続タイプ等、あらゆるコネクタ接続に適用でき、プラグ側コネクタ及び基板側コネクタのどちらにバネ片、溝があってもかまわない。また、溝を構成するには、金属シェルをそのまま凹ませたり、切り欠いて形成でき、上記溝の形態には限定されないことは勿論である。なお、嵌合保持力を増すためには、第１乃至第２の実施の形態で示したように、シェル１１を切り欠いて、エッジを出すことが有効である。
【００４６】
以上述べた第２の実施の形態では、３方向を切り欠いた例であり、第３の実施の形態は、２方向を切り欠いたである。又、第３の実施の形態の２方向を切り欠く際に９０°異なる方向に切り欠いても良い。
【産業上の利用可能性】
【００４７】
本発明のコネクタは、高速インターフェース用コネクタとして最適である。
【図面の簡単な説明】
【００４８】
【図１】本発明のケーブル側コネクタを示す側面図である。
【図２】図１のケーブル側コネクタの正面図である。
【図３】図１によるプラグ側コネクタを斜め上方から眺めた斜視図である。
【図４】本発明の基板側コネクタを示す斜視図である。
【図５】本発明の第１の実施の形態によるケーブル側コネクタを斜め下方から眺めた斜視図である。
【図６】図５のコネクタの底面図である。
【図７】図５のケーブル側コネクタの基板側コネクタとの嵌合状態を示す断面図である。
【図８】図７の部分拡大断面図である。
【図９】本発明の第２の実施の形態によるケーブル側コネクタを斜め下方から眺めた斜視図である。
【図１０】図９のコネクタの底面図である。
【図１１】図９のケーブル側コネクタの基板側コネクタとの嵌合状態を示す断面図である。
【図１２】本発明の第３の実施の形態によるケーブル側コネクタの基板側コネクタとの嵌合状態を示す断面図である。
【図１３】図１２の部分拡大断面図である。
【図１４】本発明の第４の実施の形態によるケーブル側コネクタの基板側コネクタとの嵌合状態を示す部分拡大断面図である。
【図１５】従来技術によるロック機構を有するコネクタの一例を示す図である。
【図１６】従来技術によるロック機構を有するコネクタの他の例を示す図である。
【図１７】従来技術によるフリクションロックタイプのケーブル側コネクタを底面側から眺めた斜視図。
【図１８】図１７のコネクタの底面図である。
【図１９】図１７のコネクタと基板側コネクタとの嵌合状態を示す部分断面図である。
【図２０】特許文献１によるフリクションロックタイプのコネクタを示す分解組立斜視図である。
【図２１】図２０の基板側コネクタの分解組立斜視図である。
【図２２】図２０のフリクションタイプのコネクタの嵌合状態を示す横断面図である。
【符号の説明】
【００４９】
１ａ，１ｂ，１ｃ，１ｄ    フリクションロック
２ａ，２ｂ，２ｃ，２ｄ    底片
１０    ケーブル側コネクタ
１１    シェル
１２    フード
１４    ハウジング
１５    コンタクト
２０    基板側コネクタ
２１    シェル
２２    ハウジング
２３    バネ片
２３ａ    頂上部
２６    バネ片
２７    バネ片
３１    後ハウジングシールド
５０    ケーブル側コネクタ
５０ａ，５０ｂ    ケーブル側コネクタ
５１ａ    フリクションロック穴
５２，    ロック片
５３，５４    ロック操作部
６０    ケーブル側コネクタ
【図１】
2007103249.tif 000003
【図２】
2007103249.tif 000004
【図３】
2007103249.tif 000005
【図４】
2007103249.tif 000006
【図５】
2007103249.tif 000007
【図６】
2007103249.tif 000008
【図７】
2007103249.tif 000009
【図８】
2007103249.tif 000010
【図９】
2007103249.tif 000011
【図１０】
2007103249.tif 000012
【図１１】
2007103249.tif 000013
【図１２】
2007103249.tif 000014
【図１３】
2007103249.tif 000015
【図１４】
2007103249.tif 000016
【図１５】
2007103249.tif 000017
【図１６】
2007103249.tif 000018
【図１７】
2007103249.tif 000019
【図１８】
2007103249.tif 000020
【図１９】
2007103249.tif 000021
【図２０】
2007103249.tif 000022
【図２１】
2007103249.tif 000023
【図２２】
2007103249.tif 000024